(57)【特許請求の範囲】
【請求項１】
スライドファスナーの務歯列の幅にほぼ等しい幅の溝を有する下部治具と、前記ファスナーテープ以上の幅を有する押板と、前記スライドファスナーの幅以上の幅を有する弾性シートとを含む転写用治具を用い、前記下部治具上にスライドファスナーを載せてその務歯列の下部を前記下部治具の溝内に収容させ、前記スライドファスナーの上に所望の図柄又は模様を有する転写紙を配置した後、前記スライドファスナーの務歯列の両側のファスナーテープに押板を載せ、務歯列の両押板上に弾性シートを載せた後、その上から加熱板により押圧及び加熱することを特徴とするスライドファスナーへの転写印刷方法。
【発明の詳細な説明】
【０００１】
【発明の属する技術分野】
本発明はスライドファスナーへの転写印刷方法、具体的には、定寸のスライドファスナーに務歯間の隙間を含むファスナーテープ全面に所望の模様や図柄を転写印刷する方法及びその治具に関するものである。
【０００２】
【従来の技術】
一般に、スライドファスナーは、スポーツウエア、ジャンバー、ズボンその他の衣服を始めとして、袋物、アタッシュケース、バッグなど種々の物品に採用されている。この種のファスナーは、ファスナーテープと、当該テープに植えた樹脂製又は金属製の務歯と、務歯を結合するスライダーとで構成され、ファスナーテープ自体は、用途に応じて白、黒その他の色に着色されている。
【０００３】
【発明が解決しようとする課題】
しかしながら、物品が均一な単色であればスライドファスナーを選択する余地はあるが、衣服のように物品に図柄や模様がある場合、それにあわせてスライドファスナーを選択することができず、必然的に衣服等のデザインが制限されるという問題がある。これを避けるためにはファスナーテープに衣服等と同じ図柄や模様のものを使用することが考えられるが、スライドファスナーは、通常、１００〜５００ｍ巻を１単位として製造し、これを数十ｃｍの所定寸法に切断して個々の定寸スライドファスナーに仕上げられるため、１巻全部を同じ図柄で印刷した場合、衣服とのコオーデイネイトのバランスの関係で小数だけしか売れず、無駄が多すぎて採算割れするという問題がある。
【０００４】
この問題を解決するため、顔料インクを用いてインクジェットで個々のスライドファスナーに図柄や模様を印刷する方法、或いは昇華染料インクで多色印刷した転写紙を用いて個々のスライドファスナーに図柄や模様を熱転写する熱転写印刷方法を使用することが考えられる。
【０００５】
しかしながら、前者では繊細な図柄や模様を印刷することは困難であり、後者の熱転写印刷方法では、転写紙をスライドファスナーに重ね、その上から加圧加熱する関係上、ファスナーテープに植えた務歯が邪魔になり務歯に沿ってテープの長手方向に白い筋が残るのみならず、務歯間の隙間を染色できず、所望の模様や図柄を印刷することができないという問題があることが明らかとなった。
【０００６】
従って、本発明は、定寸のスライドファスナーに務歯間の隙間を含むファスナーテープ全面に所望の模様や図柄を鮮明に印刷できるようにすることを技術的課題とするものである。
【０００７】
【課題を解決するための手段】
本発明は、前記課題を解決するための手段として、スライドファスナーの務歯列の幅にほぼ等しい幅の溝を有する下部治具と、前記ファスナーテープ以上の幅を有する押板と、前記スライドファスナーの幅以上の幅を有する弾性シートとを含む転写用治具を用い、前記下部治具上にスライドファスナーを載せてその務歯列の下部を前記下部治具の溝内に収容させ、前記スライドファスナーの上に所望の図柄又は模様を有する転写紙を配置した後、前記スライドファスナーの務歯列の両側のファスナーテープに押板を載せ、務歯列の両押板上に弾性シートを載せた後、その上から加熱板により押圧及び加熱して転写染色するようにしたものである。
【０００８】
前記下部治具は、ステンレス鋼、アルミニウム、銅、真鍮その他任意の金属材料で形成できるが、ステンレス鋼等の耐食性材料で形成するのが好ましい。また、前記下部治具は、少なくともスライドファスナーの幅に等しく、かつ、スライドファスナーの長さよりも長くしてあり、その中央に、かつ、その長手方向にスライドファスナーび務歯列の幅に合わせて形成されている。前記下部治具は、一枚の板で一体に形成しても良いが、少なくともスライドファスナーの務歯列の厚さと等しい２枚の金属板で構成しても良い。後者の場合、一方の金属板を固定プレートとして台板に固定し、その固定金蔵板に対して直交方向に移動可能に他方の金属板を可動プレートとして台板に配設し、ラックーピニオン機構により務歯用溝幅をスライドファスナーの務歯列の幅に合わせて調整可能にしてもよい。
【０００９】
前記押板は、ステンレス鋼、アルミニウム、銅、真鍮その他の熱良伝導性金属からなるプレートで形成されている。押板は、転写印刷時にアイロン等の加熱手段で押圧及び加熱した際に、務歯が変形、破損するのを防止するため、務歯の高さより若干高い厚さを有するのが好適である。
【００１０】
前記弾性シートは、アイロンその他の加熱プレートの加熱面を保護すると同時に、加熱プレートで押圧した際、務歯の上に載せられた転写シートをファスナーテープに密接させて務歯間のテープへの転写を可能にする役割を有し、その材質としては、シリコンゴム、フッ素ゴム、ネオプレンゴムなどの合成ゴムおよび天然ゴムなど耐熱性弾性材料を使用するのが好適である。
【００１１】
スライドファスナーは、市販の任意のものを使用でき、その務歯も金属製及び合成樹脂製のいずれでもよい。また、スライドファスナーの務歯を植えたファスナーテープは、ポリアミド樹脂及びポリエステル系樹脂からなる群から選ばれた少なくとも一種の樹脂からなる化学繊維を含むのが好ましい。前記ポリアミド樹脂には、ナイロン６、ナイロン６６、モノマーキャスティングナイロン、ナイロン６１０、共重合ナイロンなどが含まれる。前記ポリエステル系樹脂には、ポリブチレンテレフタレート樹脂、ポリエチレンテレフタレート樹脂、ポリブチレンナフタレート樹脂などが含まれる。
【００１２】
また、スライドファスナーの務歯にも転写印刷する場合、務歯がポリアミド樹脂及びポリエステル系樹脂からなる群から選ばれた少なくとも一種の樹脂で形成されたものを使用するのが好ましい。また、金属製の務歯であっても、表面に光沢研磨を施し、次いで光沢剤で処理することにより転写印刷することができる。この場合、務歯の材料としては、洋白などの銅合金或いはアルミニウム若しくはその合金を使用するのが好ましい。
【００１３】
転写材としては、薄葉紙等の紙を用いた公知の転写紙の他、プラスチックフィルムを基材とし、その片側表面に昇華性分散染料インクで所望の絵柄や模様を印刷した印刷層を有する昇華染料転写フィルムが使用される。転写フィルムの基材材料としては、ポリエステルフィルム、ポリアミドフィルム、ポリイミドフィルム、ポリアラミドフィルム、ポリカーボネートフィルム、ポリフェニレンサルファイドフィルム、ポリスルホンフィルム、セロファン、トリアセテートフィルム、ポリプロピレンフィルムなどが代表的なものとして挙げられるが、機械的強度、寸法安定性、耐熱性、価格等の点でポリエステルフィルムが好適である。プラスチックフィルムを基材として用いる場合、その厚さは、通常、２〜２５０μmに設定されるが、量産性及び用途上の適性を考慮すると、５〜１００μm、より好ましくは、５〜５０μmにするのが好適である。
【００１４】
分散染料インクとしては、公知の任意のものを使用することができ、この分散染料をバインダと混練し、これを希釈剤で粘度を調整することによって得られる。この分散染料インクを用いてグラビア印刷、スクリーン印刷、オフセット印刷などの印刷法により、基材の表面に絵柄、模様、写真などが印刷される。
【００１５】
【発明の実施の形態】
以下、添付の図面を参照して本発明の実施例について説明する。図１は本発明方法の実施時の転写治具の分解斜視図であり、この転写治具は、台板１に固定されスライドファスナーＦを支持する下部治具２と、下部治具２に配置されたスライドファスナーＦ及びその上に配置された転写紙４をファスナーテープＴに沿ってそれぞれ押圧固定する一対の押板５と、当該押板５を介して転写紙４を加熱するアイロン面を有する電熱式加熱板７と、当該電熱式加熱板７のアイロン面を務歯列から保護するため、前記押板５と電熱式加熱板７との間に配置されるシリコンゴム製弾性シート６とを含む。
【００１６】
前記下部治具２は、ステンレス鋼で形成され、その上部中央に長手方向に沿ってスライドファスナーＦの務歯列の幅にほぼ等しい幅の務歯用溝３が形成され、その務歯用溝３内にスライドファスナーＦの務歯列Ｅが収容される。前記ファスナーテープ押板５は、ファスナーテープＴの表面からの務歯Ｅの高さとほぼ等しい肉厚のアルミニウム板で形成され、少なくともファスナーテープＴの幅に等しい幅と長さを有し、転写紙４を介してファスナーテープＴの上に配置される。
【００１７】
使用に際しては、前記下部治具２の上にスライドファスナーＦを載せて下側の務歯が下部治具２の務歯用溝３に入るように位置合わせし、その上に転写紙４を配置した後、前記スライドファスナーＦの務歯列の両側に押板５を配置し、その上に弾性シート６を載せた後、弾性シート６の上から電熱式加熱板７により押圧及び加熱するだけで良い。電熱式加熱板７を降下させる過程で弾性シート６を介して転写紙がファスナーの務歯間に押圧され、転写紙全体がファスナーテープに密着させられ、そのままの状態で維持すると、転写紙が加熱され、その表面に描画された図柄や模様がファスナーテープＦの表面全体に転写される。
【００１８】
因みに、ＹＫＫ製の３Ｇオープンファスナー（長さ６０cm、テープ：ポリエステル繊維、務歯及びスライダ：金属）をステンレス鋼製下部治具の上に配置し、その上に昇華型乾式熱転写紙プリンカラーＴＳ（登録商標、商品名、東洋精版印刷株式会社製）を載せ、そのファスナーテープの上にステンレス鋼製押板を配置した後、市販の２mm厚のシリコンゴムシートを載せ、１８０℃に加熱維持した加熱器で押圧したところ、転写紙の表面に描画された図柄模様が務歯間の隙間の部分を含めファスナーテープ全面が綺麗に転写染色されていた。
【００１９】
スライドファスナーとして、ＹＫＫ製コイルファスナーを用いて前記実施例と同様に本発明方法を実施したところ、ファスナーテープだけでなく、コイル自体も綺麗に転写染色されており、また、転写時の加熱や圧縮に起因するコイル変形、ヘタリ、スライダの動作不良などの欠陥は全く認められなかった。
【００２０】
【発明の効果】
以上の説明から明らかなように、本発明は、簡単な構成の転写治具を使用することにより、市販のスライドファスナーにその務歯間の隙間を含むファスナーテープ全面に所望の模様や図柄を鮮明に印刷でき、しかも、一本ずつ印刷することができるので無駄が無く、需要に応じて任意の図柄や模様を印刷することができる、など優れた効果を奏する。
【図面の簡単な説明】
【図１】本発明方法の実施に使用する転写治具の分解斜視図
【図２】図１の転写治具の断面図
【符号の説明】
１…台板
２…下部治具
３…務歯用溝
５…押板
６…弾性シート
【図１】
0003542787.tif 000002
【図２】
0003542787.tif 000003